(57)【要約】【課題】  複数の種類のカード状の媒体を確実に処理することができる媒体処理装置を提供する。【解決手段】  カード状の媒体２を案内する第１のガイド２１１と、当該第１のガイド２１１に対向する第２のガイド２１２とを有し、媒体２を第１のガイド２１１と第２のガイド２１２との間に挟持して搬送する搬送部２１０と、媒体２の種類を識別する識別部２０ｂと、 識別された種類に応じて媒体を挟持する力を調整する搬送部調整手段３１、３１ａとを備えるように構成されるので、複数の種類のカード状の媒体を確実に処理することができる媒体処理装置を提供することができる。【選択図】  図２
2006107203.tif 000002
【特許請求の範囲】
【請求項１】
カード状の媒体を案内する第１のガイドと、当該第１のガイドに対向する第２のガイドとを有し、前記媒体を前記第１のガイドと前記第２のガイドとの間に挟持して搬送する搬送部と；
前記媒体の種類を識別する識別部と； 
前記識別された種類に応じて前記媒体を挟持する力を調整する搬送部調整手段とを備える；
媒体処理装置。
【請求項２】
偏心して回転し、前記搬送部に沿って前記媒体を整列させる偏心回転部材を備える；
請求項１に記載の媒体処理装置。
【請求項３】
前記媒体には、第１の媒体と、当該第１の媒体よりも大きい第２の媒体とがあり；
前記偏心回転部材は、前記識別部が前記媒体を前記第２の媒体であると識別した際に、前記第１のガイドと前記第２のガイドとが前記媒体を挟持する部位から離れる方向に移動するように構成される、
請求項２に記載の媒体処理装置。
【請求項４】
前記偏心回転部材は、前記偏心回転部材の回転中心を通る断面形状が略Ｖ字型の外周を有する、
請求項２又は請求項３に記載の媒体処理装置。
【発明の詳細な説明】
【技術分野】
【０００１】
本発明は、媒体処理装置に関し、特に複数の種類のカード状の媒体を確実に処理することができる媒体処理装置に関する。
【背景技術】
【０００２】
従来の媒体処理装置としては、カード状の媒体、例えばプリペイドカード（代金前払カード）等といった媒体に残金等の情報を記録するカード処理装置があった。このようなカード処理装置は、例えば自動改札装置や自動精算機に内蔵され、プリペイドカードに残金の情報を穿孔や印刷により記録できるものがあった。また、このようなカード処理装置には、種類の異なるカードを処理することができるものがあった。（例えば、特許文献１参照。）。
【特許文献１】特開平７−３３４７１４号公報  （第３−５頁、第１−２図）
【発明の開示】
【発明が解決しようとする課題】
【０００３】
しかしながら、以上のような従来のカード処理装置では、種類、例えば、厚さの違うカードを処理する場合に、カードを挟持して搬送する搬送路の挟持の力が不安定となり、複数の種類のカードを確実に処理することができないことがあった。
【０００４】
そこで、本発明は、複数の種類のカード状の媒体を確実に処理することができる媒体処理装置を提供することを目的とする。
【課題を解決するための手段】
【０００５】
上記目的を達成するために、請求項１に係る発明による媒体処理装置は、例えば図２に示すように、カード状の媒体２を案内する第１のガイド２１１と、当該第１のガイド２１１に対向する第２のガイド２１２とを有し、媒体２を第１のガイド２１１と第２のガイド２１２との間に挟持して搬送する搬送部２１０と；媒体２の種類を識別する識別部２０ｂ（図１参照）と； 識別された種類に応じて媒体２を挟持する力を調整する搬送部調整手段３１、３１ａと；を備えるように構成される。
【０００６】
このように構成すると、搬送部は、第１のガイドと第２のガイドとの間にカード状の媒体を挟持して搬送し、識別部は媒体の種類を識別する。さらに、搬送部調整手段は、識別されたカード状の媒体の種類に応じて媒体を挟持する力を調整するので、複数の種類のカード状の媒体を確実に処理することができる媒体処理装置を提供することができる。
【０００７】
また請求項２に記載のように、請求項１に記載の媒体処理装置では、例えば図２に示すように、偏心して回転し、搬送部２１０に沿って媒体を整列させる偏心回転部材３４を備えるように構成してもよい。
【０００８】
このように構成すると、偏心回転部材は、偏心して回転するので、比較的簡単な構成でカード状の媒体を旋回させ搬送部に沿って確実に整列することができ、複数の種類のカード状の媒体をより確実に処理することができる。
【０００９】
また請求項３に記載のように、請求項２に記載の媒体処理装置では、例えば図２に示すように、媒体２には、第１の媒体と、当該第１の媒体よりも大きい第２の媒体とがあり；偏心回転部材３４は、識別部２０ｂ（図１参照）が媒体２を第２の媒体であると識別した際に、第１のガイド２１１と第２のガイド２１２とが媒体２を挟持する部位から離れる方向に移動するように構成してもよい。
【００１０】
このように構成すると、偏心回転部材は、識別部が媒体を第２の媒体であると識別した際に、第１のガイドと第２のガイドとが媒体を挟持する部位から離れる方向に移動するので、搬送部が大きい媒体を搬送する場合でも、大きい媒体が偏心回転部材に当接して搬送を妨害されることがなく、複数の種類のカード状の媒体をより確実に処理することができる。
【００１１】
また請求項４に記載のように、請求項２又は請求項３に記載の媒体処理装置では、例えば図２に示すように、偏心回転部材３４は、偏心回転部材３４の回転中心を通る断面形状が略Ｖ字型の外周を有するように構成してもよい。
【００１２】
このように構成すると、偏心回転部材の外周が回転中心を通る断面形状が略Ｖ字型となるように形成されるので、例えば、一部がカールしているようなカード状の媒体でも偏心回転部材のＶ字型の頂点に寄せられ、整列しやすくなる。
【発明の効果】
【００１３】
以上のように本発明によれば、カード状の媒体を案内する第１のガイドと、当該第１のガイドに対向する第２のガイドとを有し、媒体を第１のガイドと第２のガイドとの間に挟持して搬送する搬送部と、媒体の種類を識別する識別部と、 識別された種類に応じて媒体を挟持する力を調整する搬送部調整手段と、を備えるように構成されるので、複数の種類のカード状の媒体を確実に処理することができる媒体処理装置を提供することができる。
【発明を実施するための最良の形態】
【００１４】
以下、本発明の実施の形態について、図１又は図２を参照して説明する。なお、各図において互いに同一あるいは相当する部材には同一符号を付し、重複した説明は省略する。
【００１５】
図１は、本発明の実施の形態に係る媒体処理装置としてのカード処理装置１の構成例を示す模式的断面図である。カード処理装置１は、取引装置、例えば駅に設置される自動精算機（自動券売機を含む）に内蔵され、カード状の媒体を処理する装置である。このような自動精算機は、乗車券等を精算するものである。なお、自動精算機は、本実施の形態に係るカード処理装置１、硬貨を処理する硬貨処理装置（不図示）、紙幣を処理する紙幣処理装置（不図示）、券類を発券する発券装置（不図示）等を備え、さらに利用者の操作を受け付ける接客部（不図示）を備える。カード処理装置１は、自動精算機に内蔵される際には、例えば利用者が、自動精算機の正面に形成された接客部（不図示）から、後述の挿入部２０にカード状の媒体を挿入できる位置に内蔵される。なお、本図中太線はカード状の媒体の搬送経路を示している。
【００１６】
ここでカード状の媒体は、例えば、メダルや硬貨等の略円形状の媒体とは異なる略四角形状の媒体であり、典型的には、略長方形板状の媒体である。カード状の媒体は、弾性を有する軟らかい媒体でもよいし、剛性を有する硬い媒体でもよい。カード状の媒体には、典型的には、第１の媒体と当該第１の媒体よりも大きい第２の媒体とがある。第１の媒体には、例えば、乗車券や回数券等のエドモンソン券がある。第２の媒体には、例えば、大型券、定期券やプリペードカード等のＰＥＴ券、ＩＣカードがある。
【００１７】
エドモンソン券の寸法は、縦５７．５ｍｍ、横３０ｍｍ、厚さ０．１９ｍｍ程度である。大型券の寸法は、縦８５ｍｍ、横５７．５ｍｍ、厚さ０．１９ｍｍ程度である。ＰＥＴ券の寸法は、縦８５ｍｍ、横５７．５ｍｍ、厚さ０．２２ｍｍである。ＩＣカードの寸法は、縦８５．６ｍｍ，横５３．９８ｍｍ、厚さ０．７６ｍｍ程度である。このように厚さについては、厚いものと薄いものとでは４倍程度の差がある。
【００１８】
エドモンソン券、大型券は、紙状のカード媒体であり、表面が感熱紙になっており、サーマルヘッド（不図示）により、表面に印刷情報を印刷できるものである。また、エドモンソン券、大型券は、裏面に磁気情報の書き込みが可能な媒体である。ＰＥＴ券は、プラスティックのカード媒体であり、例えば、定期券や裏面に磁気記録層が形成され、さらに磁気記録層の上に感熱紙層が形成されたいわゆるプリペイドカードである。プリペイドカードは、その裏面に磁気ヘッド（不図示）によりカードの情報としての磁気情報が記録でき、さらにサーマルヘッド（不図示）により印字可能な媒体である。ＩＣカードは、剛性を有するカード媒体であり、内部にＣＰＵやＲＡＭ、ＲＯＭ等のメモリが格納されており、当該メモリにカード情報を記憶している。ＩＣカードは、カード情報の書換えを電磁波を用いて行うことが可能であるため、非接触式カードと呼ばれている。なお、ＩＣカードは、規格としてＩＳＯ１４４４３（ＪＩＳ  Ｘ６３２２）が定められている。
【００１９】
本実施の形態では、カード状の媒体には第１の媒体としてエドモンソン券、第２の媒体として大型券、ＰＥＴ券、ＩＣカードがあるものとして説明する。なお、以下の説明では、エドモンソン券、大型券、ＰＥＴ券、ＩＣカードを特に分けて説明する必要のない場合には、これらをまとめて単にカード２という。
【００２０】
また、カード処理装置１は、例えば利用者により挿入されるカード２の受付処理、利用者の購入操作等によるカード２の残金の更新を行なうカードの更新処理が行なえるものである。また、カード処理装置１は、カード２の受付処理で、カード２を１枚ずつ挿入することで、エドモンソン券、大型券合わせて最大３枚、ＰＥＴ券は最大４枚、ＩＣカードは最大２枚まで受付可能である。エドモンソン券、大型券、ＰＥＴ券が組み合わせて挿入された場合は、エドモンソン券、大型券、ＰＥＴ券合わせて最大５枚、かつ５枚の内エドモンソン券、大型券が最大３枚又はＰＥＴ券が最大３枚まで受付可能である。
【００２１】
カード処理装置１は、利用者からのカード２の挿入を受け付け、また処理されたカード２の返却を行う挿入部２０と、挿入部２０から挿入されたカード２を整列させる整列部３０と、挿入されたカード２の磁気情報に関する各種処理を行うエンコード部５０と、カード２、ここではプリペードカードの利用目安となる位置に穴を開ける処理を行うカードパンチ部６０と、カード２に利用情報の印字を行う印字部７０と、カード２、ここではエドモンソン券である回数券が再度使用できないように穴を開ける処理を行う回数券パンチ部８０と、廃券処理したエドモンソン券、大型券を回収・保管する廃券回収部９０と、挿入されたＩＣカードのメモリに記憶されているカード情報の読み込み、書き込み等のカード情報に関する各種処理を行うアンテナ部１１０とを備える。
【００２２】
カード処理装置１は、さらに処理の終わったＰＥＴ券、ＩＣカードをストッパー部１３０と協動して集積する集積部１４０と、挿入部２０で取り忘れられたカード２を回収・保管する取忘回収部１５０と、挿入部２０より受け付けたカード２をカード処理装置１内の各部に搬送する搬送装置２００と、搬送装置２００により搬送されるカード２を保留する保留部３００と、上記各構成を制御し、カード処理装置１の全体を制御する制御部１６０とを備えている。なおここでは、搬送装置２００は、その搬送経路を図中太線で示している。
以下、上記各構成について詳細に説明する。
【００２３】
まず、搬送装置２００は、複数の搬送ローラ、プーリ、複数の搬送ベルト等を備え、正逆両方向にカード２を搬送するように構成される。搬送装置２００は、第１の搬送路２１０、第２の搬送路２２０、第３の搬送路２３０、第４の搬送路２４０、第５の搬送路２５０、第６の搬送路２６０、第７の搬送路２７０を含んで構成されている。
【００２４】
第１の搬送路２１０、第２の搬送路２２０、第３の搬送路２３０、第５の搬送路２５０、第６の搬送路２６０、第７の搬送路２７０は、各々カード２を搬送するための複数の搬送ローラと、複数のプーリに張架された複数の搬送ベルトを含んで構成されている。これらの搬送路は、典型的には、対向して配設される２つの搬送ベルトにカード２を挟持して搬送するように構成されているが、部分的に次に説明する第４の搬送路２４０のように搬送ローラと搬送ローラに対向して配置される従動ローラによりカード２を挟持して搬送するようにも構成されている。さらに言えば、第１の搬送路２１０は駆動機２８１（例えばステッピングモータ）、第２の搬送路２２０は第４の搬送路２４０と共通の駆動機２８２、第３の搬送路２３０は駆動機２８３、第５の搬送路２５０は駆動機２８５、第６の搬送路２６０は駆動機２８６、第７の搬送路２７０は駆動機２８７により、前記ローラ及び前記プーリを介して前記搬送ベルトを駆動することで、カードを挟持して搬送するように構成される。
なお、第１の搬送路２１０の詳細については、図２を参照して整列部３０を説明する際に詳細に説明する。
【００２５】
ただし、第４の搬送路２４０は、カード２を搬送する複数の搬送ローラと当該搬送ローラを駆動する複数のプーリを含んで構成される。第４の搬送路２４０は、搬送ローラと搬送ローラに対向して配置される従動ローラによりカード２を挟持して搬送するものである。従動ローラは、搬送ローラに付勢されて取り付けられている。第４の搬送路２４０は、搬送ローラと従動ローラとでカード２を挟持して搬送することで、上述した搬送路と比較して、搬送の精度を向上させることができる。第４の搬送路２４０は、ベルト等を介して第２の搬送路２２０と共通の駆動機２８２により駆動する。このように、複数の搬送路の駆動源を共通のものとすることでカード処理装置１の小型化を図ることができる。
【００２６】
なおここで、第４の搬送路２４０を他の搬送路と別の構成としたのは、例えばカード処理装置１の小型化のためである。例えば、後述するカードパンチ部６０を他の搬送路、典型的には、後述するように第２の搬送路２２０と、第４の搬送路２４０との境界に配置することができるので、各構成を効率良く配置でき、小型化が可能になる。また、後述する印字部７０のようにカード２に直接接触して各種処理を行うような場合にも、第４の搬送路２４０のような構成であれば、例えば搬送ベルト等に邪魔されずに精度よく印字等ができる。
【００２７】
第１の搬送路２１０は、挿入部２０のカード２が挿入される側とは反対側に、カード２の搬送方向が略水平となるように配設されている。第１の搬送路２１０は、挿入部２０に挿入されたカード２を、挿入部２０とは反対側に配設される第２の搬送路２２０又は第３の搬送路２３０に搬送するように構成される。さらに、第１の搬送路２１０は、第２の搬送路２２０又は第３の搬送路２３０より搬送されるカード２を受け取り、挿入部２０へ搬送するものでもある。なお、第１の搬送路２１０は、後述する整列部３０の一部を構成するものでもある。
【００２８】
第２の搬送路２２０は、第１の搬送路２１０による搬送方向と交差する方向、典型的には、第１の搬送路２１０に対して傾斜を有した方向であり、さらに詳細には第１の搬送路２１０に対して鉛直上方向で挿入部２０から離れる方向にカード２を搬送するように構成される。第２の搬送路２２０は、第１の搬送路２１０によって搬送されるカード２を受け取り、第１の搬送路２１０とは反対側に配設される第４の搬送路２４０又は第６の搬送路２６０に搬送するように構成される。さらに、第２の搬送路２２０は、第４の搬送路２４０又は第６の搬送路２６０より搬送されるカード２を受け取り、第１の搬送路２１０へ搬送するものでもある。なお、第２の搬送路２２０には、後述するエンコード部５０が配設されている。
【００２９】
第３の搬送路２３０は、第１の搬送路２１０による搬送方向に対して略平行な方向、典型的には、第１の搬送路２１０による搬送方向と略一直線になる方向にカード２を搬送するように構成される。第３の搬送路２３０は、第１の搬送路２１０によって搬送されるカード２を受け取り、第１の搬送路２１０とは反対側に配設される後述の第９の保留部３９０に搬送するように構成される。なお、第３の搬送路２３０には、第１の搬送路２１０と第９の保留部３９０との間に後述するアンテナ部１１０が配設されている。さらに、第３の搬送路２３０は、アンテナ部１１０により処理されたカード２を第１の搬送路２１０へ搬送するものでもある。第３の搬送路２３０のカード２を挟持する搬送ベルトにはテンションがかかっている。これにより、厚みのあるＩＣカードが第３の搬送路２３０にに導入されても、挟持する面の間隔はＩＣカードの厚さに合わせて広がるので、確実にＩＣカードを搬送することができる。なお、第３の搬送路２３０は、主として他のカード２と比較して厚みのあるＩＣカードを搬送するものであるから、ＩＣカードを挟持する２つの搬送ベルトの間隔を予めＩＣカードの厚みに合わせて若干広くしてもよい。
【００３０】
第４の搬送路２４０は、第２の搬送路２２０による搬送方向に対して略平行な方向、典型的には、第２の搬送路２２０による搬送方向と略一直線になる方向にカード２を搬送するように構成される。第４の搬送路２４０は、上述したように他の搬送路とは異なった構成となっている。第４の搬送路２４０は、第２の搬送路２２０によって搬送されるカード２を受け取り、第２の搬送路２２０とは反対側に配設される第５の搬送路２５０に搬送するように構成される。さらに、第４の搬送路２４０は、第５の搬送路２５０より搬送されるカード２を受け取り、第２の搬送路２２０へ搬送するものでもある。なお、第４の搬送路２４０には、第２の搬送路２２０側から順に後述するカードパンチ部６０、印字部７０が配設されている。
【００３１】
第５の搬送路２５０は、第４の搬送路２４０による搬送方向と交差する方向、典型的には、搬送方向が略水平方向で挿入部２０から離れる方向にカード２を搬送するように構成される。第５の搬送路２５０は、第４の搬送路２４０によって搬送されるカード２を受け取り、第４の搬送路２４０とは反対側に配設される後述の第１の保留部３１０に搬送するように構成される。さらに、第５の搬送路２５０は、第１の保留部３１０により保留されたカード２を第４の搬送路２４０へ搬送するものでもある。
【００３２】
第６の搬送路２６０は、第２の搬送路２２０による搬送方向と交差する方向で挿入部２０から離れる方向にカード２を搬送するように構成される。第６の搬送路２６０は、複数の折れ曲がりを有しており、第２の搬送路２２０によって搬送されるカード２を受け取り、第２の搬送路２２０とは反対側に配設され、典型的には挿入部２０を正面とするとカード処理装置１内の背面側に配設される後述の廃券回収部９０に搬送するように構成される。さらに、第６の搬送路２６０は、例えば、後述の第４の保留部３４０に保留されるカード２を第２の搬送路２２０又は次に説明する第７の搬送路２７０に搬送するものでもある。
【００３３】
第７の搬送路２７０は、第６の搬送路２６０の中間から分岐するように配設され、第６の搬送路２６０による搬送方向と交差する方向、典型的には、第６の搬送路２６０に対して傾斜を有した方向であり、さらに詳細には第６の搬送路２６０に対して鉛直下方向で挿入部２０に近づく方向にカード２を搬送するように構成される。第７の搬送路２７０は、第６の搬送路２６０によって搬送されるカード２を受け取り、第６の搬送路２６０とは反対側に配設される後述の第７の保留部３７０に搬送するように構成される。さらに、第７の搬送路２７０は、第７の保留部３７０により保留されたカード２を第６の搬送路２６０へ搬送するものでもある。なお、第７の搬送路２７０には、第６の搬送路２６０と第７の保留部３７０との間、より具体的には後述の第３の振分部４３と第７の保留部３７０との間に後述する回数券パンチ部８０が配設されている。
【００３４】
また、搬送装置２００は、カード２の搬送経路を切り換え可能な第１の振分部４１、第２の振分部４２、第３の振分部４３を備えている。第１の振分部４１、第２の振分部４２、第３の振分部４３は、それぞれカード２を振り分ける振分爪と、制御部１６０に制御され振分爪を駆動する振分爪駆動手段（例えば、ソレノイド）とを有している。第１の振分部４１は、第１の搬送路２１０と第２の搬送路２２０との間の交差する部分に配設される。また、第１の振分部４１は、第１の搬送路２１０と第３の搬送路２３０との間の部分に配設されるということもできる。すなわち、第１の振分部４１は、第１の搬送路２１０、第２の搬送路２２０、第３の搬送路２３０の間に配設される。第２の振分部４２は、第２の搬送路２２０と第４の搬送路２４０との間の交差する部分に配設される。また、第２の振分部４２は、第２の搬送路２２０と第６の搬送路２６０との間の部分に配設されるということもできる。すなわち、第２の振分部４２は、第２の搬送路２２０、第４の搬送路２４０、第６の搬送路２６０の間に配設される。第３の振分部４３は、第７の搬送路２７０が第６の搬送路２６０から分岐する部分に配設されている。言い換えれば、第３の振分部４３は、第６の搬送路２６０と第７の搬送路２７０との間の部分に配設されている。また、第１の振分部４１、第２の振分部４２、第３の振分部４３は、カード２の種類、あるいは処理の種類に応じて搬送経路を切り換えるように、制御部１６０により動作を制御されている。
【００３５】
第１の振分部４１は、エドモンソン券、大型券、ＰＥＴ券とＩＣカードを振り分けるように構成、制御される。第１の振分部４１は、典型的には、挿入部２０に挿入されたカード２がエドモンソン券、大型券、ＰＥＴ券の場合には、制御部１６０の信号により振分爪が第３の搬送路２３０への進入を遮断するように第３の搬送路２３０側に回動し、カード２を第２の搬送路２２０に搬送可能にする。さらに、第１の振分部４１は、カード２がＩＣカードの場合には、制御部１６０の信号により振分爪が第２の搬送路２２０への進入を遮断するように第２の搬送路２２０側に回動してカード２を第３の搬送路２３０方向に搬送可能にする。なお、エドモンソン券、大型券、ＰＥＴ券を第２の搬送路２２０から第１の搬送路２１０に搬送する際、ＩＣカードを第３の搬送路２３０から第１の搬送路２１０に搬送する際もほぼ同様である。
【００３６】
第２の振分部４２は、エドモンソン券、大型券、後述するようにＰＥＴ券が連続して４枚挿入された際の４枚目のＰＥＴ券とＰＥＴ券が連続して４枚挿入された際の４枚目のＰＥＴ券以外のＰＥＴ券とを振り分けるように構成、制御される。第２の振分部４２は、典型的には、第２の搬送路２２０によって搬送されるカード２がエドモンソン券、大型券、ＰＥＴ券が連続して４枚挿入された際の４枚目のＰＥＴ券の場合には、制御部１６０の信号により振分爪が第４の搬送路２４０への進入を遮断するように第４の搬送路２４０側に回動し、カード２を第６の搬送路２６０方向に搬送可能にする。さらに、第２の振分部４２は、カード２がＰＥＴ券が連続して４枚挿入された際の４枚目のＰＥＴ券以外のＰＥＴ券の場合には、制御部１６０の信号により振分爪が第６の搬送路２６０への進入を遮断するように第６の搬送路２６０側に回動してカード２を第４の搬送路２４０方向に搬送可能にする。なお、エドモンソン券、大型券、ＰＥＴ券が連続して４枚挿入された際の４枚目のＰＥＴ券を第６の搬送路２６０から第２の搬送路２２０に搬送する際、ＰＥＴ券が連続して４枚挿入された際の４枚目のＰＥＴ券以外のＰＥＴ券を第４の搬送路２４０から第２の搬送路２２０に搬送する際もほぼ同様である。
【００３７】
第３の振分部４３は、エドモンソン券、大型券を回数券パンチ部８０で処理するものとしないものとに振り分けるように構成、制御される。第３の振分部４３は、典型的には、第６の搬送路２６０によって廃券回収部９０側から第２の搬送路２２０の方向に搬送されるカード２が回数券パンチ部８０で処理するものである場合には、制御部１６０の信号により振分爪が第６の搬送路２６０を遮断するように第６の搬送路２６０側に回動し、カード２を第７の搬送路２７０方向に搬送可能にする。さらに、第３の振分部４３は、カード２が回数券パンチ部８０で処理するものでない場合には、制御部１６０の信号により振分爪が第７の搬送路２７０への進入を遮断するように第７の搬送路２７０側に回動してカード２を第６の搬送路２６０上で搬送可能にする。
【００３８】
なお、第１の振分部４１、第２の振分部４２、第３の振分部４３の各振分爪は、複数の部材によって構成してもよい。この場合、例えば、鉛直方向上側の上振分爪と、鉛直方向下側の下振分爪との鉛直方向への開閉によって搬送経路を切り換えるようにすればよい。
【００３９】
次に、挿入部２０は、利用者からのカード２の挿入を受け付けるものであり、例えば前記接客部からのカード２の挿入ガイドとなる挿入口２０ａと、挿入されたカード２の種類を識別する識別部としてのカード検知器２０ｂを有している。挿入口２０ａは、４種類のカード２、すなわち、エドモンソン券、大型券、ＰＥＴ券、ＩＣカードを挿入することができる幅に形成されている。エドモンソン券、大型券、ＰＥＴ券、ＩＣカードを挿入することができる幅とは、例えば、ＰＥＴ券又は大型券の横幅（約５７．５ｍｍ）よりもやや大きい幅である。カード検知器２０ｂは、例えば、複数のフォトセンサ等を用い、典型的には、挿入されたカード２の枚数の検出も行なえるように構成されている。カード検知器２０ｂは、挿入されたカード２の種類、枚数に関する信号を制御部１６０に送信するように構成される。さらに、挿入部２０は、利用者からのカード２の挿入を受け付けるだけでなく、例えば挿入を受け付けたカード２を送出（返却）できるものである。言い換えれば、カード処理装置１内にあるカード２を挿入口２０ａから外部（利用者）へ送出できるものである。挿入部２０の下流側には整列部３０が配設されている。なお、下流側とは、挿入部２０に挿入されたカード２を装置内に取り込む方向である。
【００４０】
図２は、本発明の実施の形態に係るカード処理装置１の整列部３０を説明するための図であり、（ａ）は模式的平面図、（ｂ）は上流側から見た模式的正面図、（ｃ）、（ｄ）は模式的側面図である。カード処理装置１は、６種類のカード２、すなわち、乗車券、回数券、大型券、定期券、プリペイドカード、ＩＣカードを処理するため、上述した挿入口２０ａ（図１参照）はＰＥＴ券又は大型券の横幅（約５７．５ｍｍ）よりもやや大きい幅に形成される。このため、ＰＥＴ券、大型券、ＩＣカードに対して小型のエドモンソン券を挿入する際は、挿入口２０ａ（図１参照）において遊びがあり、斜め方向や横方向、更に縦方向等、方向を揃えることなく挿入されてしまう。カード２（エドモンソン券）の方向が不揃いのままでは以降の処理に不具合が生じることがあるため、整列部３０は、挿入部２０から挿入されたカード２の幅寄せ（片寄せ）を行なう。また整列部３０では、エドモンソン券、大型券、ＰＥＴ券、ＩＣカードは未だ振り分けられていないので、大きさ、厚みの違うカード２を確実に搬送しつつ整列させる必要もある。なお、本図（ｃ）、（ｄ）では、後述する基準ガイド面３６、ガイド面３７、３８等の図示を省略している。
【００４１】
整列部３０は、カード２を案内する第１のガイドとしての第１の搬送ベルト２１１と、第１の搬送ベルト２１１に対向する第２のガイドとしての第２の搬送ベルト２１２とを有し、カード２を第１の搬送ベルト２１１と第２の搬送ベルト２１２との間に挟持して搬送する搬送部としての上述した第１の搬送路２１０と、カード検知器２０ｂ（図１参照）によって識別されたカード２の種類に応じて第１の搬送ベルト２１１と第２の搬送ベルト２１２とがカード２を挟持する力を調整する搬送部調整手段としての２つのベルト間隔調整機構３１、３１ａと、偏心して回転し、第１の搬送路２１０に沿ってカード２を整列させる偏心回転部材としての偏心回転ローラ３４を備える。
【００４２】
第１の搬送ベルト２１１は、挿入部２０（図１参照）側に配設されるプーリ２１１ａと、プーリ２１１ａに対して水平方向に配設されるプーリ２１１ｂに張架される。同様に、第２の搬送ベルト２１２は、プーリ２１２ａと、プーリ２１２ｂに張架される。挿入部２０（図１参照）に挿入されたカード２をカード処理装置１（図１参照）内で処理する際の搬送方向は、プーリ２１１ａ、プーリ２１２ａからプーリ２１１ｂ、プーリ２１２ｂへの方向、すなわち図中Ｍ１で示した方向である。
【００４３】
さらに、第１の搬送路２１０は、第１の搬送ベルト２１１、第２の搬送ベルト２１２に沿うように板金等を略Ｌ字型に曲げて形成した基準ガイド面３６を備えている。基準ガイド面３６は、図２（ｂ）に示すように、略Ｌ字型の長辺が第１の搬送ベルト２１１、第２の搬送ベルト２１２のカード２を挟持する面に対して略垂直となるように設置される。さらに、基準ガイド面３６は、第１の搬送ベルト２１１、第２の搬送ベルト２１２に対してプーリ２１１ａ、プーリ２１２ａからプーリ２１１ｂ、プーリ２１２ｂにいくに従って徐々に近づくように配設される。すなわち、基準ガイド面３６は、第１の搬送ベルト２１１、第２の搬送ベルト２１２に対して、下流側にいくにつれて近づくように水平方向に傾きを有している。また、第１の搬送路２１０は、第１の搬送ベルト２１１、第２の搬送ベルト２１２を挟んで基準ガイド面３６に対向するガイド面３７、３８を備えている。
【００４４】
ベルト間隔調整機構３１は、ソレノイド３２とリンク機構３３を含んで構成されている。リンク機構３３は、プーリ２１１ａに接続されている。図２（ｄ）に示すように、ベルト間隔調整機構３１は、ソレノイド３２が有するプランジャが非通電時状態から、通電状態に移行することによる直線移動等をリンク機構３３を介してプーリ２１１ａに伝達し、プーリ２１１ａを鉛直方向上方に移動させ、第１の搬送ベルト２１１と第２の搬送ベルト２１２との間隔を広げる。ほぼ同様に、ベルト間隔調整機構３１ａは、ソレノイド３２ａとリンク機構３３ａを含んで構成されている。リンク機構３３ａは、プーリ２１２ｂに接続されている。ベルト間隔調整機構３１ａは、ソレノイド３２ａの直線移動等をリンク機構３３ａを介してプーリ２１２ｂに伝達し、プーリ２１２ｂを鉛直方向下方に移動させ、第１の搬送ベルト２１１と第２の搬送ベルト２１２との間隔を広げる。このように、ベルト間隔調整機構３１によってプーリ２１１ａを鉛直方向上方に、ベルト間隔調整機構３１ａによってプーリ２１２ｂを鉛直方向下方に移動させることで、第１の搬送ベルト２１１と第２の搬送ベルト２１２と間隔は、全体的に略均等に広がる。ソレノイド３２、３２ａは、配線を介して制御部１６０に接続されており、制御部１６０により制御される。ソレノイド３２、３２ａは、典型的には、カード検知器２０ｂによって挿入されたカード２がＩＣカードであると識別された際に、制御部１６０から間隔を広げる旨の信号を受信しプランジャが非通電時状態から、通電状態に移行する。当該間隔を広げるように駆動する。ここで、第１の搬送ベルト２１１と第２の搬送ベルト２１２との間隔を広げる場合、当該広げた後の間隔は、例えば１ｍｍから０．６ｍｍ程度、好ましくは０．９ｍｍから０．７ｍｍ程度、典型的には、０．８ｍｍ程度とするとよい。
【００４５】
偏心回転ローラ３４は、第１の搬送ベルト２１１、第２の搬送ベルト２１２のほぼ中央の縁部の基準ガイド面３６側とは反対側に配設される。偏心回転ローラ３４は、略円柱状に形成され、さらに回転中心を通る断面形状が略Ｖ字型の外周を有するように形成される。言い換えれば、偏心回転ローラ３４は、回転中心を通る断面形状が鼓状となるように形成される。さらに言い換えれば、偏心回転ローラ３４は、外周面中央が小径で端部にいくほど次第に大径になるように形成される。偏心回転ローラ３４は、図２（ｃ）に示すように、通常時にＶ字型の頂点が、第１の搬送ベルト２１１と第２の搬送ベルト２１２とがカード２を挟持する部位と鉛直方向にほぼ同じ位置となるように配設される。偏心回転ローラ３４の外周を回転中心を通る断面形状が略Ｖ字型となるように形成することで、例えば、一部がカールしているエドモンソン券が偏心回転ローラ３４のＶ字型の頂点に寄せられ、整列しやすくなる。偏心回転ローラ３４は、モータ等によりベルトを介して偏心して、図中Ｍ１方向に搬送されるカード２を基準ガイド面３６側にまき込む方向、すなわち図中Ｍ２で示した方向（時計回り）に回転するように構成される。偏心回転ローラ３４が偏心して回転するとは、偏心回転ローラ３４の回転軸線が偏心回転ローラ３４の軸線方向の中心線からずれた状態で回転する場合や、偏心回転ローラ３４の回転軸線が偏心回転ローラ３４の軸線方向の中心線と一致していても、偏心回転ローラ３４の最小径となる部分が径方向の中心からずれて回転する場合も広く含む。要するに、偏心回転ローラ３４は、偏心回転ローラ３４の最小径となる部分が略円状の軌跡を描いて移動するように回転すればよく、これにより後述するように、偏心回転ローラ３４は、例えば搬送方向Ｍ１に対して横向きに挿入されたエドモンソン券の一端を基準ガイド面３６側に押し出すように作用する。
【００４６】
さらに、整列部３０は、カード検知器２０ｂ（図１参照）がカード２を第２の媒体、すなわち、大型券、ＰＥＴ券、ＩＣカードのいずれかであると識別した際に、制御部１６０の制御により偏心回転ローラ３４を第１の搬送ベルト２１１と第２の搬送ベルト２１２とがカード２を挟持する部位から離れる方向に移動させる回転ローラ退避機構３５を備える。回転ローラ退避機構３５は、ベルト間隔調整機構３１、３１ａとほぼ同様にソレノイド、リンク機構等を含んで構成される。回転ローラ退避機構３５は、図２（ｂ）の二点差線で示すように、偏心回転ローラ３４を基準ガイド面３６側に中心を有する略円弧状の軌跡を描いて退避させる。このようにすることで、偏心回転ローラ３４の退避スペースを最小限に抑えることができ、カード処理装置１の小型化に資することができる。
【００４７】
整列部３０では、挿入されたカード２は、基準ガイド面３６に沿って長手方向が搬送方向Ｍ１と略平行となるように整列する。挿入されたカード２が大型券、ＰＥＴ券、ＩＣカードである場合は、回転ローラ退避機構３５は制御部１６０の制御により駆動し偏心回転ローラ３４を退避させ、これにより、大型券、ＰＥＴ券、ＩＣカードは、偏心回転ローラ３４に当接せずに、搬送、整列される。挿入されたカード２がエドモンソン券である場合、偏心回転ローラ３４は退避せず、エドモンソン券は偏心回転ローラ３４と接触しながら整列する。
【００４８】
例えば、図２（ａ）は、挿入されたエドモンソン券が搬送方向Ｍ１に対して長手方向が垂直となるように横向きで挿入された場合を示す。この場合、エドモンソン券の一端が偏心回転ローラ３４に当接して制動されている間に、他端側が第１の搬送ベルト２１１と第２の搬送ベルト２１２とによって挟持され搬送されることで、エドモンソン券は偏心回転ローラ３４を中心に旋回する（図中二点差線で示す）。このとき、偏心回転ローラ３４が偏心して回転することで、基準ガイド面３６とエドモンソン券の角（図２（ａ）で示すＡ部）の摩擦を減らすことができ、エドモンソン券が徐々に縦方向になる。エドモンソン券がある程度旋回してところで、これまで制動され搬送に遅れを生じたエドモンソン券の一端側も偏心回転ローラ３４からすり抜け、エドモンソン券は、偏心回転ローラ３４が偏心して回転していることで基準ガイド面３６側に放出され、基準ガイド面３６に沿って長手方向が搬送方向Ｍ１と略平行となるように整列する。また、第１の搬送ベルト２１１、第２の搬送ベルト２１２が基準ガイド面３６に対して搬送方向Ｍ１下流にいくに従って徐々に近づくように配設されていることで、エドモンソン券は基準ガイド面３６の方向に徐々に近づくように搬送されるので、比較的短い距離で基準ガイド面３６に沿って整列しやすい。なお、挿入されたエドモンソン券が搬送方向Ｍ１に対して長手方向が傾斜するように斜め向きで挿入された場合も、ほぼ同様に整列されるがここでは説明を省略する。
【００４９】
再び図１にもどって、エンコード部５０は、上述したように第２の搬送路２２０の搬送経路上に配設されている。エンコード部５０は、第２の搬送路２２０の搬送により搬送されるカード２に磁気情報処理を行うものである。磁気情報処理とは、カード２、典型的にはエドモンソン券、大型券の磁気情報の読み込み、ＰＥＴ券の磁気情報の読み込み・書き込み等を行う処理である。エンコード部５０は、カード２に磁気情報の読み込み・書き込み行なえる磁気ヘッドを有している。磁気情報は、カード２の残金を含む情報を含んでいる。また、エンコード部５０は、後述のパンチ情報を読み取ることができるように構成されている。
【００５０】
カードパンチ部６０は、上述したように第４の搬送路２４０の搬送経路上に配設されている。カードパンチ部６０は、第４の搬送路２４０により搬送されるカード２、典型的には、ＰＥＴ券であるプリペードカードに第１の穿孔処理を行なうものである。第１の穿孔処理とは、カードにカード情報としてのパンチ情報を記録する処理、例えばプリペードカードの残金の情報を示す孔をプリペードカードに設ける処理である。なお、この孔により示されるプリペードカードの残金の情報は、カードの利用目安となる所定の位置に行なわれる。カードパンチ部６０は、プリペードカードに穿孔するパンチ機構と、搬送されるプリペードカードを検知する検知器を有している。パンチ機構は、プリペードカードに穿孔する穿孔ピンを有している。穿孔ピンは、鋭利な先端を有し、ソレノイドの駆動によりプリペードカードに穿孔できる。
【００５１】
印字部７０は、上述したように第４の搬送路２４０の搬送経路上、カードパンチ部６０の下流側に配設されている。印字部７０は、第４の搬送路２４０により搬送されるカード２、典型的には、ＰＥＴ券であるプリペードカードに印字処理を行なうものである。印字処理とは、プリペードカードに利用情報を記録する処理、例えばプリペードカードの残金の情報を示す印字を行なう処理である。印字部７０は、プリペードカードへの印字を行なうサーマルヘッドを有している。
【００５２】
回数券パンチ部８０は、上述したように第７の搬送路２７０の搬送経路上、第３の振分部４３と後述の第７の保留部３７０との間に配設されている。回数券パンチ部８０は、第７の搬送路２７０により搬送されるカード２、典型的には、ここではエドモンソン券である回数券に第２の穿孔処理を行なうものである。第２の穿孔処理とは、回数券に再度使用できないように孔を設ける処理である。回数券パンチ部８０は、カードパンチ部６０とほぼ同様な構成をしているので、ここでは説明を省略する。
【００５３】
廃券回収部９０は、上述したように第６の搬送路２６０の第２の搬送路２２０とは反対側の端部に配設されている。廃券回収部９０は、第６の搬送路２６０により搬送され、廃券処理されるエドモンソン券、大型券を回収、保管するものであり、エドモンソン券、大型券を収納する収納受皿を有している。廃券処理とは、例えばエンコード部５０による磁気情報処理を終えたエドモンソン券である乗車券、大型券、回数券パンチ部８０による第２の穿孔処理が施されたエドモンソン券である回数券を廃棄する処理である。
【００５４】
アンテナ部１１０は、上述したように第３の搬送路２３０の第１の搬送路２１０とは反対側の端部に配設されている。アンテナ部１１０は、挿入されたＩＣカードのメモリに記憶されているカード情報の読み込み、書き込み等のカード情報に関する各種処理を行う。カード情報は、例えば金銭決済情報、残高金額やカードＩＤ番号等の情報を含んでいる。残高金額は、ＩＣカードに入金（積み増し）されている金額から利用した金額（精算した金額）を差し引いた金額である。カード情報は、例えばビット列で記録され、電磁波を用いて非接触で読み出し又は書き込みできるものである。アンテナ部１１０は、ＩＣカードとの間で電磁波を送受信する機能を有し、さらに、カードリーダライタを備える。当該カードリーダライタは、ＩＣカードに書き込まれたカード情報を読み込んだり、書き換えたりするもので、例えば所定周波数帯域の電磁波をカード情報の授受に用いる。なお、本実施の形態のように、アンテナ部１１０を挿入部２０から水平に移動した部分に配設すると、剛性を有するＩＣカードが搬送される際に曲がったりすることがないので破損してしまうことがない。
【００５５】
集積部１４０は、第１の搬送路２１０の搬送経路上、整列部３０と第１の振分部４１との間に配設されている。集積部１４０は、板金等を略Ｌ字型に曲げて形成されたストッパー部１３０と協動して、各処理を施され、第１の搬送路２１０により挿入部２０に向かって搬送さるＰＥＴ券、ＩＣカードを集積するものである。集積部１４０に集積されたＰＥＴ券、ＩＣカードは、一括して挿入口２０ａに搬送される。ただし、利用者が取り消しボタンを押して、カード処理装置１による処理をキャンセルした場合は、ＰＥＴ券、ＩＣカードは集積せずに一枚ずつ挿入口２０ａに搬送される。ストッパー部１３０は、略Ｌ字型の短辺が第１の搬送路２１０の搬送経路と略垂直に交わるように配設される。ストッパー部１３０は、通常では略Ｌ字型の短辺の先端が第１の搬送路２１０の搬送経路よりも下方に退避しており、集積部１４０にＰＥＴ券、ＩＣカードを集積する際に、ソレノイドによって駆動されて当該先端が搬送経路の上側に突出し、略Ｌ字型の短辺にＰＥＴ券、ＩＣカードを当接させて一時保留する。
【００５６】
取忘回収部１５０は、第３の搬送路２３０の搬送経路上、第１の振分部４１とアンテナ部１１０との間、典型的には、第１の振分部４１の直下流に配設されている。取忘回収部１５０は、挿入部２０で取り忘れられたカード２を回収するもので、カード２を収納する収納受皿を有している。
【００５７】
保留部３００は、搬送装置２００の搬送経路上にあるカード２を一時保留するものである。保留部３００は、カード２の保留状態を、外から目視可能な構成となっている。また、挿入部２０よりカード２が複数枚挿入されたときの退避エリアでもある。本実施の形態では、保留部３００は、第５の搬送路２５０の搬送経路上の第４の搬送路２４０とは反対側に配設される第１の保留部３１０、第５の搬送路２５０の搬送経路上の第４の搬送路２４０と第１の保留部３１０との間に配設される第２の保留部３２０、第４の搬送路２４０の搬送経路上の印字部７０と第５の搬送路２５０との間に配設される第３の保留部３３０、第６の搬送路２６０の搬送経路上、廃券回収部９０と第３の振分部４３との間の略垂直な部分に配設される第４の保留部３４０、第６の搬送路２６０の搬送経路上の第３の振分部４３近傍に配設される第５の保留部３５０、第７の搬送路２７０の搬送経路上の第３の振分部４３と回数券パンチ部８０との間に配設される第６の保留部３６０、第７の搬送路２７０の搬送経路上の第６の搬送路２６０とは反対側に配設される第７の保留部３７０、第３の搬送路２３０の搬送経路上のアンテナ部１１０が設置されている部分に配設される第８の保留部３８０、第３の搬送路２３０の搬送経路上の第１の搬送路２１０とは反対側に配設される第９の保留部３９０を含んで構成される。なお、これらの保留部を特に分けて説明する必要のない場合には単に保留部３００という。
【００５８】
典型的には、第１の保留部３１０、第２の保留部３２０、第３の保留部３３０は、ＰＥＴ券を保留し、第４の保留部３４０、第５の保留部３５０、第６の保留部３６０、第７の保留部３７０は、エドモンソン券、大型券を保留し、第８の保留部３８０、第９の保留部３９０は、ＩＣカードを保留する。また、複数のＰＥＴ券が挿入された際には、１枚目は第１の保留部３１０、２枚目は第２の保留部３２０、３枚目のは第３の保留部３３０というように順に保留される。複数のエドモンソン券、大型券が挿入された際には、１枚目は第４の保留部３４０、２枚目は第５の保留部３５０に保留され、３枚目が挿入されると、第５の保留部３５０に保留されている２枚目のエドモンソン券又は大型券が第６の保留部３６０に搬送、保留され、第５の保留部３５０に３枚目のエドモンソン券又は大型券が保留される。また、第７の保留部３７０には、１枚目に乗車券、２枚目に第１の回数券が挿入され、さらに３枚目に第２の回数券が挿入された際に、第１の回数券が一時的に保留される。また、複数のＩＣカードが挿入された際には、１枚目は第８の保留部３８０に保留され、２枚目が挿入されると、第８の保留部３８０に保留されている１枚目のＩＣカードが第９の保留部３９０に搬送、保留され、第８の保留部３８０に２枚目のＩＣカードが保留される。なお、第５の保留部３５０には、ＰＥＴ券が連続して４枚挿入された際に４枚目のＰＥＴ券が保留されることがある。
【００５９】
保留部３００は、ストッパー部１３０とほぼ同様の板金等を略Ｌ字型に曲げ加工して形成されたストッパーを有し、カード２を当該ストッパーに当接させて一時的に保留するが、これに限らず、ピンチローラを用いたり、各搬送路からカード２を引き離すようにして保留する構成としてもよい。また、例えば、各保留部が配設される搬送路を、さらに複数の部分的な搬送路に分割して、分割した搬送路の内の１つの搬送路の駆動源を他の搬送路から独立した駆動源とし、当該搬送路の駆動のみを停止することでカード２を保留するように構成してもよい。
【００６０】
制御部１６０は、カード検知器２０ｂから送信されるカード２の種類に関する信号に基づいて、ベルト間隔調整機構３１、３１ａ（図２参照）、回転ローラ退避機構３５（図２参照）の駆動を制御する。さらに、制御部１６０は、カード処理装置１内での各種信号、情報（上述したカード情報、パンチ情報、利用情報、印刷情報、磁気情報等）の入出力を行いカード処理装置１の各部の動作を制御するように構成されており、ここでは、電源装置と一体に構成されている。制御部１６０は、例えばパソコンやマイコンなどのコンピュータであり、カード処理装置１の内部にあってもよいし、外部にあってもよい。また、制御部１６０は、上位装置、例えば自動精算機等との信号、情報の入出力を行い、精算等の処理に応じてカード処理装置１の各部の動作を制御する。
【００６１】
次に、図１を参照してカード処理装置１の動作について説明する。なお、整列部３０の各構成については適宜図２を参照する。まず、カード処理装置１は、挿入部２０の挿入口２０ａより挿入されるカード２を受け付け取り込み、カード検知器２０ｂによりカード２の種類を識別する。識別の結果、挿入されたカード２がエドモンソン券であると識別された場合は、カード処理装置１は、偏心回転ローラ３４（図２参照）を退避させず、エドモンソン券を基準ガイド面３６に沿うように縦に整列し、エンコード部５０へ搬送する。さらに、カード処理装置１は、エンコード部５０でエドモンソン券の磁気情報を読み取り、上述した保留部３００のいずれかで保留する。
【００６２】
識別の結果、挿入されたカード２が大型券であると識別された場合は、カード処理装置１は、制御部１６０の制御により回転ローラ退避機構３５（図２参照）を駆動し、偏心回転ローラ３４（図２参照）を退避させエンコード部５０へ搬送する。カード処理装置１は、エンコード部５０で大型券の磁気情報を読み取り、上述した保留部３００のいずれかで保留する。
【００６３】
識別の結果、挿入されたカード２がＰＥＴ券であると識別された場合は、カード処理装置１は、制御部１６０の制御により回転ローラ退避機構３５（図２参照）を駆動し、偏心回転ローラ３４（図２参照）を退避させエンコード部５０へ搬送する。カード処理装置１は、エンコード部５０でＰＥＴ券の磁気情報、パンチ情報を読み取り、上述した保留部３００のいずれかで保留する。
【００６４】
識別の結果、挿入されたカード２がＩＣカードであると識別された場合は、カード処理装置１は、制御部１６０の制御により回転ローラ退避機構３５（図２参照）を駆動し、偏心回転ローラ３４（図２参照）を退避させ、さらに、ベルト間隔調整機構３１、３１ａ（図２参照）を駆動して第１の搬送ベルト２１１（図２参照）と第２の搬送ベルト２１２（図２参照）との間隔を広げてアンテナ部１１０へ搬送する。カード処理装置１は、アンテナ部１１０でＩＣカードのカード情報を読み取り、ＩＣカードはそのまま第８の保留部３８０で保留される。その後２枚目のＩＣカードが挿入されると、１枚目のＩＣカードは第９の保留部３９０に搬送され、そこで保留される。２枚目のＩＣカードは、第８の保留部３８０で保留される。
【００６５】
それぞれの処理が終わると、エドモンソン券と大型券は廃券回収部９０に搬送され回収、保管される。このときエドモンソン券が回数券である場合、当該回数券は、回数券パンチ部８０で第２の穿孔処理が行われ廃券回収部９０に搬送される。ＰＥＴ券であるプリペイドカードは、印字部７０で印字処理が行われ、カードパンチ部６０で第１の穿孔処理が行なわれ、集積部１４０へ搬送される。ＰＥＴ券である定期券は、印字処理、第１の穿孔処理を省略して集積部１４０へ搬送される。ＩＣカードはアンテナ部１１０でカード情報の書き込みが行われ集積部１４０へ集められる。集積部１４０に集積されたカード２は、一括して挿入部２０の挿入口２０ａに搬送され、排出される。その後、本カード処理装置１が、例えば自動精算機に内蔵されているのであれば、自動精算機に組み込まれている券発券装置等から精算済みであることを示す券が発券される。
【００６６】
以上で説明した本発明の実施の形態に係るカード処理装置１によれば、カード２の種類、典型的には厚みに応じて第１の搬送ベルト２１１と第２の搬送ベルト２１２との間隔を調整することで、第１の搬送ベルト２１１と第２の搬送ベルト２１２とがカード２を挟持するグリップ力が常に一定となり、いずれの種類のカード２であっても整列部３０での整列を確実に行うことができる。したがって、複数の種類のカード状の媒体を確実に処理することができるカード処理装置１を提供することができる。また、第１の搬送ベルト２１１と第２の搬送ベルト２１２との間隔を薄いカード２にあわせた場合のように、厚いカード２を第１の搬送ベルト２１１と第２の搬送ベルト２１２との間に導入できなかったり、カード２を破損させてしまうことがない。さらにまた、第１の搬送ベルト２１１と第２の搬送ベルト２１２との間隔を厚いカード２にあわせた場合のように、薄いカード２を第１の搬送ベルト２１１と第２の搬送ベルト２１２との間に挟持してもグリップ力が不足して搬送、整列できないということがない。
【００６７】
また、以上で説明した本発明の実施の形態に係るカード処理装置１によれば、エドモンソン券が搬送方向Ｍ１に対して長手方向が垂直となるように横向きで挿入された場合でも、偏心回転ローラ３４が偏心して回転していることで、比較的簡単で小型な構成でエドモンソン券を基準ガイド面３６側に放出し、基準ガイド面３６に沿って長手方向が搬送方向Ｍ１と略平行となるように確実に整列させることができる。したがって、複数の種類のカード状の媒体を確実に処理することができるカード処理装置１を提供することができる。また、第１の搬送ベルト２１１、第２の搬送ベルト２１２が基準ガイド面３６に対して搬送方向Ｍ１下流にいくに従って徐々に近づくように配設されていることで、エドモンソン券は基準ガイド面３６の方向に徐々に近づくように搬送されるので、比較的短い距離で基準ガイド面３６に沿って整列しやすい。また、偏心回転ローラ３４の外周を回転中心を通る断面形状が略Ｖ字型となるように形成することで、例えば、一部がカールしているエドモンソン券が偏心回転ローラ３４のＶ字型の頂点に寄せられ、整列しやすくなる。
【００６８】
さらに、以上で説明した本発明の実施の形態に係るカード処理装置１によれば、カード２の種類、典型的には大きさに応じて偏心回転ローラ３４を退避させるので、大型券、ＰＥＴ券、ＩＣカードが挿入された場合でも偏心回転ローラ３４によって妨害されずに搬送でき、確実に処理することができる。また、偏心回転ローラ３４を基準ガイド面３６側に中心を有する略円弧状の軌跡を描いて退避させることで、偏心回転ローラ３４の退避スペースを最小限に抑えることができ、カード処理装置１の小型化に資することができる。
【００６９】
なお、本発明の実施の形態であるカード処理装置１は、上述した実施の形態に限定されず、特許請求の範囲に記載された範囲で種々の変更が可能である。以上の説明では、ベルト間隔調整機構には、プーリ２１１ａを鉛直方向上方に移動させるベルト間隔調整機構３１と、プーリ２１２ｂを鉛直方向下方に移動させるベルト間隔調整機構３１ａの２つがあるものとして説明したが、どちらか一方、例えば、ベルト間隔調整機構３１のみを備える構成としてもよい。この場合、リンク機構等によってベルト間隔調整機構３１の直線移動等をプーリ２１１ａに加えて、プーリ２１２ｂにも伝達するように構成すればよい。このようにすることで、カード処理装置１をさらに小型化することができる。
【００７０】
また、以上の説明では、カード検知器２０ｂによって識別されたカード２の種類に応じてカード２を挟持する力を調整する搬送部調整手段は、第１の搬送ベルト２１１と第２の搬送ベルト２１２との間隔を調整するベルト間隔調整機構３１、３１ａであるものとして説明したが、第１の搬送ベルト２１１と第２の搬送ベルト２１２とがカード２を挟持する力（すなわちグリップ力）を一定に調整することができる手段であれば何でもよい。例えば、第１の搬送ベルト２１１を第２の搬送ベルト２１２の方向に向けて付勢して配設し、当該搬送部調整手段は、第１の搬送ベルト２１１を第２の搬送ベルト２１２に押しつける付勢力を調整する付勢力調整機構であるものとして構成してもよい。
【図面の簡単な説明】
【００７１】
【図１】本発明の実施の形態に係るカード処理装置の構成例を示す模式的断面図である。
【図２】本発明の実施の形態に係るカード処理装置の整列部を説明するための図である。
【符号の説明】
【００７２】
１    カード処理装置
２    カード
２０    挿入部
２０ｂ    カード検知器
３０    整列部
３１、３１ａ    ベルト間隔調整機構
３４    偏心回転ローラ
３５    回転ローラ退避機構
３６    基準ガイド面
５０    エンコード部
６０    カードパンチ部
７０    印字部
８０    回数券パンチ部
９０    廃券回収部
１１０    アンテナ部
１３０    ストッパー部
１４０    集積部
１５０    取忘回収部
１６０    制御部
２００    搬送装置
２１０    第１の搬送路
２１１    第１の搬送ベルト
２１２    第２の搬送ベルト
３００    保留部
【図１】
2006107203.tif 000003
【図２】
2006107203.tif 000004